【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
表面を有する物品をコーティングする方法であって、
難溶性銀含有化合物、アンモニウム含有化合物、および水性溶媒を組み合わせて、それにより流体溶液を形成する工程と、
前記表面に前記流体溶液を非接触的に付着させる工程と、
前記流体溶液を実質的に乾燥させる工程と
を含む、方法。
【請求項２】
表面を有する物品をコーティングする方法であって、
難溶性銀含有化合物、アンモニウム含有化合物、および水性溶媒を組み合わせて、それにより第一の流体溶液を形成する工程と、
生物活性物質を含む第二の流体溶液を提供する工程と、
前記第一の流体溶液および前記第二の流体溶液を前記表面の上に非接触的に付着させる工程と、
前記第一の流体溶液および前記第二の流体溶液を実質的に乾燥させる工程と
を含む、方法。
【請求項３】
表面と、
前記表面の上に流体溶液を非接触的な付着方法により付着させた難溶性銀含有化合物と
を含む物品であって、
前記流体溶液が、難溶性銀含有化合物、アンモニウム含有化合物、および水性溶媒を組み合わせることにより形成され、前記流体溶液を実質的に乾燥させた後で、前記難溶性銀含有化合物が前記表面に約０．７８グラム／平方メートル未満で濃縮されていることを特徴とする、物品。
【手続補正２】
【補正対象書類名】明細書
【補正対象項目名】０１２３
【補正方法】変更
【補正の内容】
【０１２３】
本明細書に引用した特許、特許文献、および刊行物の完全な開示は、あたかもそれらそれぞれが個別に援用されたように、それらのすべてを参照により本明細書に援用する。本発明の範囲と趣旨から逸脱することなく、本発明に各種の修正や変更を施すことが可能であることは、当業者には明らかであろう。次のことは理解されたい、すなわち、本発明は、本明細書において言及した説明のための実施形態および実施例に不当に限定されることを意図するものではなく、また、そのような実施例や実施形態は説明のためだけに提供されたものであって、本発明の範囲はここに記載する特許請求の範囲によってのみ限定されるものである。本発明の実施態様の一部を以下に列記する。
（１）
表面を有する物品をコーティングする方法であって、
難溶性銀含有化合物、アンモニウム含有化合物、および水性溶媒を組み合わせて、それにより流体溶液を形成する工程と、
前記表面に前記流体溶液を非接触的に付着させる工程と、
前記流体溶液を実質的に乾燥させる工程とを含む、方法。
（２）
前記難溶性銀含有化合物が、酸化銀、硫酸銀、酢酸銀、塩化銀、リン酸銀、ステアリン酸銀、チオシアン酸銀、銀タンパク化合物、炭酸銀、スルファジアジン銀、アルギン酸銀、およびそれらの組合せからなる群より選択される、項目１に記載の方法。
（３）
前記難溶性銀含有化合物が、前記流体溶液の全質量を基準にして、前記流体溶液の約０．１質量％〜約１５．０質量％を構成する、項目１に記載の方法。
（４）
前記難溶性銀含有化合物が、前記流体溶液の全質量を基準にして、前記流体溶液の約１．０質量％〜約５．０質量％を構成する、項目３に記載の方法。
（５）
前記アンモニウム含有化合物が、アンモニウム塩たとえば、五ホウ酸アンモニウム、酢酸アンモニウム、炭酸アンモニウム、塩化アンモニウム、ペルオキシホウ酸アンモニウム、四ホウ酸アンモニウム、クエン酸三アンモニウム、カルバミン酸アンモニウム、重炭酸アンモニウム、リンゴ酸アンモニウム、硝酸アンモニウム、亜硝酸アンモニウム、コハク酸アンモニウム、硫酸アンモニウム、酒石酸アンモニウム、およびそれらの組合せを含む、アンモニウム含有化合物からなる群より選択される、項目１に記載の方法。
（６）
前記アンモニウム含有化合物が、前記流体溶液の全質量を基準にして、前記流体溶液の約１．０質量％〜約２５．０質量％を構成する、項目１に記載の方法。
（７）
前記非接触的に付着させる工程が、インクジェット印刷法を含む、項目１に記載の方法。
（８）
前記非接触的に付着させる工程が、スプレー噴霧化付着法を含む、項目１に記載の方法。
（９）
前記流体溶液が、前記表面のヒルデブランド溶解パラメーターよりも少なくとも約３．７ＭＰａ1/2高いヒルデブランド溶解パラメーターを示す、項目１に記載の方法。
（１０）
前記流体溶液が、前記表面のヒルデブランド溶解パラメーターよりも少なくとも約８．０ＭＰａ1/2高いヒルデブランド溶解パラメーターを示す、項目９に記載の方法。
（１１）
前記流体溶液が、前記表面のヒルデブランド溶解パラメーターよりも少なくとも約１５．０ＭＰａ1/2高いヒルデブランド溶解パラメーターを示す、項目１０に記載の方法。
（１２）
前記流体溶液が、少なくとも約１ヶ月間安定である、項目１に記載の方法。
（１３）
基材をコーティングする方法であって、
酸化銀、炭酸アンモニウム、および水性溶媒を組み合わせて、それによって流体溶液を形成する工程と、
前記基材に前記流体溶液を非接触的に付着させる工程と、
前記流体溶液を実質的に乾燥させる工程とを含む、方法。
（１４）
前記酸化銀の一部が前記炭酸アンモニウムの一部と錯体化して、炭酸アンモニウム銀を形成する、項目１３に記載の方法。
（１５）
前記炭酸アンモニウム銀の一部が、前記流体溶液が実質的に乾燥する際に、酸化銀を形成する、項目１４に記載の方法。
（１６）
前記酸化銀が、前記流体溶液の全質量を基準にして、前記流体溶液の約０．１質量％〜約１５．０質量％を構成する、項目１３に記載の方法。
（１７）
前記酸化銀が、前記流体溶液の全質量を基準にして、前記流体溶液の約１．０質量％〜約５．０質量％を構成する、項目１６に記載の方法。
（１８）
前記流体溶液が、少なくとも約１ヶ月間安定である、項目１３に記載の方法。
（１９）
表面を有する物品をコーティングする方法であって、
酢酸銀、分散剤、および水性溶媒を組み合わせて、それによって流体溶液を形成する工程と、
前記表面に前記流体溶液を非接触的に付着させる工程と、
前記流体溶液を実質的に乾燥させる工程とを含む、方法。
（２０）
前記分散剤がノニオン性界面活性剤を含む、項目１９に記載の方法。
（２１）
アンモニウム含有化合物を前記酢酸銀、前記分散剤、および前記水性溶媒とさらに組み合わせて、それにより流体溶液を形成させる、項目１９に記載の方法。
（２２）
前記酢酸銀が、前記流体溶液の全質量を基準にして、前記流体溶液の約０．１質量％〜約１５．０質量％を構成する、項目１９に記載の方法。
（２３）
前記酢酸銀が、前記流体溶液の全質量を基準にして、前記流体溶液の約１．０質量％〜約５．０質量％を構成する、項目１９に記載の方法。
（２４）
前記流体溶液が、少なくとも約１ヶ月間安定である、項目１９に記載の方法。
（２５）
表面を有する物品をコーティングする方法であって、
難溶性銀含有化合物、アンモニウム含有化合物、および水性溶媒を組み合わせて、それにより第一の流体溶液を形成する工程と、
生物活性物質を含む第二の流体溶液を提供する工程と、
前記第一の流体溶液および前記第二の流体溶液を前記表面の上に非接触的に付着させる工程と、
前記第一の流体溶液および前記第二の流体溶液を実質的に乾燥させる工程とを含む、方法。
（２６）
前記難溶性銀含有化合物が、酸化銀、硫酸銀、酢酸銀、塩化銀、乳酸銀、リン酸銀、ステアリン酸銀、チオシアン酸銀、銀タンパク化合物、炭酸銀、スルファジアジン銀、アルギン酸銀、およびそれらの組合せからなる群より選択される、項目２５に記載の方法。
（２７）
前記生物活性物質が、金属イオン生成化合物、脂肪酸モノエステル、クロルヘキシジン、トリクロサン、過酸化物、ヨウ素、それらの錯体、それらの誘導体、およびそれらの組合せからなる群より選択される、項目２５に記載の方法。
（２８）
前記難溶性銀含有化合物が酸化銀を含む、項目２５に記載の方法。
（２９）
前記生物活性物質が脂肪酸モノエステルを含む、項目２８に記載の方法。
（３０）
前記第一の流体溶液を前記表面の上に非接触的に付着させた後で、前記第二の流体溶液を前記表面の上に非接触的に付着させる、項目２５に記載の方法。
（３１）
前記第二の流体溶液を前記表面の上に非接触的に付着させた後で、前記第一の流体溶液を前記表面の上に非接触的に付着させる、項目２５に記載の方法。
（３２）
前記第一の流体溶液を前記表面の上に非接触的に付着させるのと実質的に同時に、前記第二の流体溶液を前記表面の上に非接触的に付着させる、項目２５に記載の方法。
（３３）
前記難溶性銀含有化合物が、前記第一の流体溶液の全質量を基準にして、前記第一の流体溶液の約０．１質量％〜約１５．０質量％を構成する、項目２５に記載の方法。
（３４）
前記難溶性銀含有化合物が、前記第一の流体溶液の全質量を基準にして、前記第一の流体溶液の約１．０質量％〜約５．０質量％を構成する、項目３３に記載の方法。
（３５）
表面と、
前記表面の上に流体溶液を非接触的な付着方法により付着させた難溶性銀含有化合物と
を含む物品であって、
前記流体溶液が、難溶性銀含有化合物、アンモニウム含有化合物、および水性溶媒を組み合わせることにより形成されることを特徴とする、物品。
（３６）
前記難溶性銀含有化合物が、酸化銀、硫酸銀、酢酸銀、塩化銀、乳酸銀、リン酸銀、ステアリン酸銀、チオシアン酸銀、銀タンパク化合物、炭酸銀、スルファジアジン銀、アルギン酸銀、およびそれらの組合せからなる群より選択される、項目３５に記載の物品。
（３７）
前記アンモニウム含有化合物が、アンモニウム塩たとえば、五ホウ酸アンモニウム、酢酸アンモニウム、炭酸アンモニウム、塩化アンモニウム、ペルオキシホウ酸アンモニウム、四ホウ酸アンモニウム、クエン酸三アンモニウム、カルバミン酸アンモニウム、重炭酸アンモニウム、リンゴ酸アンモニウム、硝酸アンモニウム、亜硝酸アンモニウム、コハク酸アンモニウム、硫酸アンモニウム、酒石酸アンモニウム、およびそれらの組合せを含む、アンモニウム含有化合物からなる群より選択される、項目３５に記載の物品。
（３８）
前記難溶性銀含有化合物が、前記流体溶液の全質量を基準にして、前記流体溶液の約０．１質量％〜約１５．０質量％を構成する、項目３５に記載の物品。
（３９）
前記難溶性銀含有化合物が、前記流体溶液の全質量を基準にして、前記流体溶液の約１．０質量％〜約５．０質量％を構成する、項目３８に記載の物品。
（４０）
前記流体溶液を実質的に乾燥させた後で、前記難溶性銀含有化合物が前記表面に約０．７８グラム／平方メートル未満で濃縮されている、項目３５に記載の物品。
（４１）
前記流体溶液を実質的に乾燥させた後で、前記難溶性銀含有化合物が前記表面に約０．１６グラム／平方メートル未満で濃縮されている、項目４０に記載の物品。
（４２）
前記難溶性銀含有化合物が酸化銀を含む、項目４０に記載の物品。
（４３）
前記アンモニウム含有化合物が炭酸アンモニウムを含む、項目４０に記載の物品。
（４４）
前記難溶性銀含有化合物の一部が物品の内部に配置される、項目３５に記載の物品。
（４５）
前記難溶性銀含有化合物が前記表面に実質的に濃縮されている、項目３５に記載の物品。
（４６）
前記流体溶液が、前記表面のヒルデブランド溶解パラメーターよりも少なくとも約３．７ＭＰａ1/2高いヒルデブランド溶解パラメーターを示す、項目３５に記載の物品。
（４７）
前記流体溶液が、前記表面のヒルデブランド溶解パラメーターよりも少なくとも約８．０ＭＰａ1/2高いヒルデブランド溶解パラメーターを示す、項目４６に記載の物品。
（４８）
前記流体溶液が、前記表面のヒルデブランド溶解パラメーターよりも少なくとも約１５．０ＭＰａ1/2高いヒルデブランド溶解パラメーターを示す、項目４７に記載の物品。
（４９）
前記表面が接着剤層を含む、項目３５に記載の物品。
（５０）
前記接着剤層が感圧性接着剤を含む、項目４９に記載の物品。
（５１）
前記接着剤層が、アクリレート、ポリウレタン、シリコーン、天然ゴム、ポリイソプレン、ポリイソブチレン、ブチルゴム、およびそれらの組合せからなる群より選択される接着性物質に由来する、項目４９に記載の物品。
（５２）
前記物品が、阻止帯試験法により測定して、少なくとも８ｍｍの一次阻止帯を示す、項目３５に記載の物品。
（５３）
前記物品が、阻止帯試験法により測定して、少なくとも１０ｍｍの一次阻止帯を示す、項目３５に記載の物品。